(57)【要約】【課題】コネクタから該コネクタが接続される接続相手部材へ向かう方向と挿入開口部が開口する方向とが互いに交差するコネクタを配線板上へ搬送する作業を、自動化する。【解決手段】キャップ６０は、挿入開口部５５ａを有するＵＳＢコネクタ５１に着脱可能に取り付けられるとともに、ＵＳＢコネクタ５１を配線板４１に取り付ける自動挿入機の吸引ノズル２０１が吸着する吸着エリアＡを有する。挿入開口部５５ａの開口する方向Ｃと、ＵＳＢコネクタ５１から配線板４１へ向かう方向Ｂとは、互いに交差する。キャップ６０は、本体部６１と、挿入部６２と、を備える。本体部６１は、配線板４１に対してＵＳＢコネクタ５１を挟んで反対側に位置するとともに、吸引ノズル２０１が吸着する吸着エリアＡを有する。挿入部６２は、挿入開口部５５ａに差し込まれる。【選択図】図１０
2007026900.tif 000002
【特許請求の範囲】
【請求項１】
相手側コネクタが差し込まれる挿入開口部を有するコネクタに着脱可能に取り付けられるとともに、前記コネクタを該コネクタが接続される接続相手部材に取り付ける搬送部に吸着されるエリアを有するキャップであって、
前記コネクタの前記挿入開口部の開口する方向と、前記コネクタから前記接続相手部材へ向かう方向とは、互いに交差し、
前記キャップは、
前記接続相手部材に対して前記コネクタを挟んで反対側に位置するとともに、前記搬送部が吸着する吸着エリアを有する本体部と、
前記挿入開口部に差し込まれる挿入部と、
を備えることを特徴とするキャップ。
【請求項２】
前記挿入開口部の開口する方向は、前記接続相手部材に対して平行であることを特徴とする請求項１に記載のキャップ。
【請求項３】
前記本体部には、前記コネクタと接触することによって前記コネクタと前記本体部との間に隙間を形成する突起が設けられることを特徴とする請求項１に記載のキャップ。
【請求項４】
前記吸着エリアは、平面状であって、
前記突起は、前記吸着エリアを前記接続相手部材に対して平行にすることを特徴とする請求項３に記載のキャップ。
【請求項５】
相手側コネクタが差し込まれる挿入開口部を有するとともに、接続相手部材に接続されるコネクタと、
前記コネクタに着脱可能に取り付けられ、前記コネクタを前記接続相手部材に取り付ける搬送部に吸着されるキャップと、
を具備し、
前記挿入開口部が開口する方向と、前記コネクタから前記接続相手部材へ向かう方向とは、互いに交差し、
前記キャップは、
前記接続相手部材に対して前記コネクタを挟んで反対側に位置するとともに、前記搬送部が吸着する吸着エリアを有する本体部と、
前記挿入開口部に差し込まれる挿入部と、
を備えることを特徴とするコネクタ装置。
【請求項６】
前記挿入開口部の開口する方向は、前記接続相手部材に対して平行であることを特徴とする請求項５に記載のコネクタ装置。
【請求項７】
前記本体部には、前記コネクタと接触することによって前記コネクタと前記本体部との間に隙間を形成する突起が設けられることを特徴とする請求項５に記載のコネクタ装置。
【請求項８】
前記吸着エリアは、平面状であって、
前記突起は、前記吸着エリアを前記接続相手部材に対して平行にすることを特徴とする請求項７に記載のコネクタ装置。
【請求項９】
相手側コネクタが差し込まれる挿入開口部を有するコネクタと、前記コネクタに着脱可能に取り付けられるキャップと、を備えるコネクタ装置と、
前記コネクタが電気的に接続される配線板と、
を具備し、
前記挿入開口部が開口する方向と、前記コネクタから前記配線板へ向かう方向とは、互いに交差し、
前記キャップは、
前記配線板に対して前記コネクタを挟んで反対側に位置するとともに、前記コネクタ装置を前記配線板上に取り付ける搬送部が吸着する吸着エリアを有する本体部と、
前記挿入開口部に差し込まれる挿入部と、
を備えることを特徴とする回路モジュール。
【請求項１０】
前記挿入開口部の開口する方向は、前記配線板に対して平行であることを特徴とする請求項９に記載の回路モジュール。
【請求項１１】
前記本体部において前記コネクタと向かい合う壁部には、前記コネクタと接触することによって前記コネクタと前記本体部との間に隙間を形成する突起が設けられることを特徴とする請求項１０に記載の回路モジュール。
【請求項１２】
前記吸着エリアは、平面状であって、
前記突起は、前記吸着エリアを前記接続相手部材に対して平行にすることを特徴とする請求項１１に記載の回路モジュール。
【請求項１３】
筐体と、
前記筐体内に収容される回路モジュールと
を具備し、
前記回路モジュールは、
相手側コネクタが差し込まれる挿入開口部を有するコネクタと、前記コネクタに着脱可能に取り付けられるキャップと、を備えるコネクタ装置と、
前記コネクタが電気的に接続される配線板と、
を具備し、
前記挿入開口部が開口する方向と、前記コネクタから前記配線板へ向かう方向とは、互いに交差し、
前記キャップは、
前記配線板に対して前記コネクタを挟んで反対側に位置するとともに、前記コネクタ装置を前記配線板上に取り付ける搬送部が吸着する吸着エリアを有する本体部と、
前記挿入開口部に差し込まれる挿入部と、
を備えることを特徴とする電子機器。
【請求項１４】
前記挿入開口部の開口する方向は、前記配線板に対して平行であることを特徴とする請求項１３に記載の電子機器。
【請求項１５】
前記本体部には、前記コネクタと接触することによって前記コネクタと前記本体部との間に隙間を形成する突起が設けられることを特徴とする請求項１３に記載の電子機器。
【請求項１６】
前記吸着エリアは、平面状であって、
前記突起は、前記吸着エリアを前記接続相手部材に対して平行にすることを特徴とする請求項１５に記載の電子機器。
【発明の詳細な説明】
【技術分野】
【０００１】
本発明は、コネクタを搬送する際に用いられるキャップに関する。さらに、前記キャップを備えるコネクタ装置に関する。さらに、前記コネクタ装置を備える回路モジュールに関する。さらに、前記回路モジュールを備える電子機器に関する。
【背景技術】
【０００２】
例えばポータブルコンピュータなどの電子機器では、その組立作業の効率を向上するために、コネクタを配線板へ取り付ける作業を自動化することが提案されている。
【０００３】
例えば、ＳＭＴ（Ｓｕｒｆａｃｅ  Ｍｏｕｎｔ  Ｔｅｃｈｎｏｌｏｇｙ）式のコネクタでは、配線板への半田付けの方式にリフロー方式を採用することができる。それゆえ、ＳＭＴ式のコネクタでは、コネクタを配線板に半田付けされるまでを自動化しやすい。
【０００４】
該作業を自動化する際、コネクタは、自動挿入機を用いてプリント配線板上へ搬送される。自動挿入機は、吸引ノズルを備えている。自動挿入機は、吸引ノズルによってコネクタを吸着した後、コネクタをプリント配線板上へ搬送する。それゆえ、ＳＭＴ式のコネクタのハウジングは、吸引ノズルが吸着するエリアを有するように考慮されて形成されることが多い。
【０００５】
また、ＳＭＴ式のコネクタであっても、相手側のコネクタが差し込まれる挿入開口部が配線板に対して上方を向いている場合など、ハウジングに自動挿入機のノズルが吸着するエリアを確保し難い場合は、別途にキャップとしての搬送用吸着部材が用いられている。
【０００６】
この種の搬送用吸着部材は、配線板に対して上方に開口する挿入開口部の一部を覆う上部平坦部を有している。上部平坦部の上面は、吸引ノズルが吸着するエリアとなっている。このように形成される吸着部材がコネクタに取り付けられることによって、コネクタのハウジングが吸着エリアを有していなくても、コネクタは、自動挿入機によって搬送されるようになる（例えば、特許文献１参照。）。
【特許文献１】登録実用新案第３０１４６０８号公報
【発明の開示】
【発明が解決しようとする課題】
【０００７】
一方、Ｉ／Ｏコネクタは、相手側のコネクタの着脱作業が頻繁に行われる。それゆえ、Ｉ／Ｏコネクタの挿入開口部は、相手側のコネクタの着脱作業を考慮して、配線板の表面に対して略平行な方向に開口している。
【０００８】
また、Ｉ／Ｏコネクタでは、相手側のコネクタの着脱作業の際に生じる衝撃が配線板とコネクタとの半田による接合部に作用することによって該接合部の強度が低下することを抑制するために、ＤＩＰ（Ｄｕａｌ  Ｉｎ−ｌｉｎｅ  Ｐａｃｋａｇｅ）式のコネクタが採用されている。
【０００９】
ＤＩＰ式のコネクタは、配線板を貫通するリード部や突部を備えている。それゆえ、ＤＩＰ式コネクタの配線板への半田付け作業を自動化することは、難しい。したがって、ＤＩＰ式のコネクタは、配線板へ手作業で半田付けされることが多い。
【００１０】
上記の理由より、Ｉ／Ｏコネクタでは、配線板への搬送作業の自動化は考慮されておらず、したがって、ハウジングに自動挿入機のノズルが吸着するエリアを確保することは、考慮されていなかった。
【００１１】
しかし、Ｉ／Ｏコネクタも、プリント配線板への搬送作業の効率を向上するために、配線板上への搬送作業の自動化が望まれている。
【００１２】
なお、ＳＭＴ式のコネクタは、半田によって配線板へ固定される。それゆえ、相手側コネクタの着脱作業の際に生じる衝撃がコネクタと配線板との接合部に加わることは、好ましくない。
【００１３】
したがって、ＳＭＴ式のコネクタは、着脱作業が頻繁に行われるＩ／Ｏコネクタには用いられていない。さらに相手側のコネクタを取り付ける際に生じる衝撃が該コネクタを配線板から取り除く方向に作用しないように、挿入開口部は、配線板に対して上方を向いていることが多い。
【００１４】
特許文献１に開示されている吸着部材も、挿入開口部が配線板に対して上方を向いているコネクタに対応している。それゆえ、特許文献１に開示される吸着部材は、Ｉ／Ｏコネクタのように挿入開口部が配線板に対して略平行な方向に向いているコネクタには、対応していない。
【００１５】
したがって、本発明の目的は、コネクタから該コネクタが接続される接続相手部材へ向かう方向と挿入開口部が開口する方向とが互いに交差するコネクタを配線板上へ搬送する作業を、自動化することができるキャップ、コネクタ装置、回路モジュール、及び電子機器を提供することにある。
【課題を解決するための手段】
【００１６】
上記目的を達成するために、本発明の１つの形態に係るキャップは、相手側コネクタが差し込まれる挿入開口部を有するコネクタに着脱可能に取り付けられるとともに、前記コネクタを該コネクタが接続される接続相手部材に取り付ける搬送部に吸着される。前記コネクタの前記挿入開口部の開口する方向と、前記コネクタから前記接続相手部材へ向かう方向とは、互いに交差する。前記キャップは、本体部と、挿入部と、を備える。前記本体部は、前記接続相手部材に対して前記コネクタを挟んで反対側に位置するとともに、前記搬送部が吸着する吸着エリアを有する。前記挿入部は、前記挿入開口部に差し込まれる。
【００１７】
上記目的を達成するために、本発明の１つの形態に係るコネクタ装置は、コネクタと、キャップと、を備える。前記コネクタは、相手側コネクタが差し込まれる挿入開口部を有するとともに、接続相手部材に接続される。前記キャップは、前記コネクタに着脱可能に取り付けられ、前記コネクタを前記接続相手部材に取り付ける搬送部に吸着される。前記挿入開口部が開口する方向と、前記コネクタから前記接続相手部材へ向かう方向とは、互いに交差する。前記キャップは、本体部と、挿入部と、を備える。前記本体部は、前記接続相手部材に対して前記コネクタを挟んで反対側に位置するとともに、前記搬送部が吸着する吸着エリアを有する。前記挿入部は、前記挿入開口部に差し込まれる。
【００１８】
上記目的を達成するために、本発明の１つの形態に係る回路モジュールは、コネクタ装置と、配線板と、を備える。前記コネクタ装置は、相手側コネクタが差し込まれる挿入開口部を有するコネクタと、前記コネクタに着脱可能に取り付けられるキャップと、を備える。前記コネクタは、前記配線板に電気的に接続される。前記挿入開口部が開口する方向と、前記コネクタから前記配線板へ向かう方向とは、互いに交差する。前記キャップは、本体部と、挿入部と、を備える。前記本体部は、前記配線板に対して前記コネクタを挟んで反対側に位置するとともに、前記コネクタ装置を前記配線板上に取り付ける搬送部が吸着する吸着エリアを有する。前記挿入部は、前記挿入開口部に差し込まれる。
【００１９】
上記目的を達成するために、本発明の１つの形態に係る電子機器は、筐体と、前記筐体内に収容される回路モジュールと、を備える。前記回路モジュールは、相手側コネクタが差し込まれる挿入開口部を有するコネクタと、前記コネクタに着脱可能に取り付けられるキャップと、を備えるコネクタ装置と、前記コネクタが電気的に接続される配線板と、を備える。前記挿入開口部が開口する方向と、前記コネクタから前記配線板へ向かう方向とは、互いに交差する。前記キャップは、本体部と、挿入部と、を備える。前記本体部は、前記配線板に対して前記コネクタを挟んで反対側に位置するとともに、前記コネクタ装置を前記配線板上に取り付ける搬送部が吸着する吸着エリアを有する。前記挿入部は、前記挿入開口部に差し込まれる。
【発明の効果】
【００２０】
コネクタから該コネクタが接続される接続相手部材へ向かう方向と、挿入開口部が開口する方向とが互いに交差するコネクタを接続相手部材へ搬送する作業を、自動化することができる。
【発明を実施するための最良の形態】
【００２１】
本発明の第１の実施形態に係る電子機器を、ポータブルコンピュータ１０を一例に、図１から図１０を参照して説明する。
【００２２】
図１に示すように、ポータブルコンピュータ１０は、コンピュータ本体２０と、表示ユニット３０と、を備えている。
【００２３】
コンピュータ本体２０は、筐体２１を備えている。筐体２１は、扁平な箱状である。筐体２１は、上壁２２と、下壁２３と、前壁２４と、後壁２５と、右壁２６と、左壁２７と、を有している。上壁２２には、キーボード２８が設置されている。
【００２４】
表示ユニット３０は、表示ユニットハウジング３１と、液晶表示パネル３２と、を備えている。液晶表示パネル３２は、表示ユニットハウジング３１に収容されている。液晶表示パネル３２は、画像を表示するスクリーン３２ａを有している。スクリーン３２ａは、表示ユニットハウジング３１の前面に形成された開口部３１ａを通じて表示ユニットハウジング３１の外方に露出している。
【００２５】
表示ユニット３０は、コンピュータ本体２０に連結されている。図２は、表示ユニット３０がコンピュータ本体２０と略平行になるまで開いた状態において、筐体２１の一部を切り欠いた状態を上方から見た平面図である。図２は、コンピュータ本体２０と表示ユニットハウジング３１との連結構造を示している。図２に示すように、表示ユニットハウジング３１は、筐体２１の後端部に、ヒンジ軸３３を介して支持されている。
【００２６】
図１に示すように表示ユニット３０は、閉じ状態と、開き状態との間で回動自由である。閉じ状態は、表示ユニット３０がキーボード２８を上方から覆うようにコンピュータ本体２０の上に横たわる状態である。開き状態は、表示ユニット３０がキーボード２８やスクリーン３２ａを露出させるようにコンピュータ本体２０に対して起立する状態である。
【００２７】
図２に示すように、筐体２１の内部には、回路モジュール４０などの部品が収容されている。
【００２８】
回路モジュール４０は、配線板４１と、ＵＳＢコネクタ装置５０と、を備えている。ＵＳＢコネクタ装置５０は、ＵＳＢコネクタ５１と、後述されるキャップ６０と、を備えている。なお、ＵＳＢコネクタ装置５０は、本発明で言う、コネクタ装置の一例である。配線板４１は、本発明で言う、接続相手部材の一例である。
【００２９】
図３は、図２中にＦ３で囲まれる範囲を拡大して示す斜視図である。図３は、配線板４１に、ＵＳＢコネクタ５１が取り付けられた状態を示している。
【００３０】
図２に示すように、ＵＳＢコネクタ５１は、配線板４１上において、例えば筐体２１の後壁２５と向かい合う位置に取り付けられている。
【００３１】
図４は、ポータブルコンピュータ１０を後方から見る斜視図である。図２と図４とに示すように、後壁２５においてＵＳＢコネクタ５１と対向する位置には、ＵＳＢコネクタ５１に接続される相手側ＵＳＢコネクタ１００が通る貫通孔２５ａが形成されている。相手側ＵＳＢコネクタ１００は、貫通孔２５ａを通ってＵＳＢコネクタ５１内に差し込まれる。
【００３２】
なお、ＵＳＢコネクタ５１の配置と貫通孔２５ａの位置とは、これに限定されない。例えばＵＳＢコネクタ５１が右壁２６と向き合う位置に配置される場合は、貫通孔２５ａは、右壁２６に形成される。
【００３３】
図５は、ＵＳＢコネクタ５１と配線板４１とが分解された状態を示している。図３と図５とに示すように、ＵＳＢコネクタ５１は、ハウジング５２と、４つのコンタクト５３と、樹脂部５４と、を備えている。
【００３４】
ハウジング５２は、例えば薄板状の金属板から形成されており、両端が開口する略矩形の管状である。ハウジング５２の開口のうち、一方は、相手側ＵＳＢコネクタ１００が差し込まれる挿入開口部５５ａとなっている。
【００３５】
ＵＳＢコネクタ５１は、挿入開口部５５ａが貫通孔２５ａと対向するように配線板４１上に配置されている。挿入開口部５５ａは、配線板４１の表面と平行な方向Ｃに略沿って開口している。つまり、挿入開口部５５ａの開口方向は、配線板４１に対して平行である。
【００３６】
ＵＳＢコネクタ装置５０は、Ｉ／Ｏコネクタの一例である。相手側ＵＳＢコネクタ１００は、ＵＳＢコネクタ５１に対して頻繁に着脱作業が行われる。それゆえ、着脱作業を繰返すことによって相手側ＵＳＢコネクタ１００がＵＳＢコネクタ５１から外れやすくなることを抑制するために、ハウジング５２の上壁５２ａには、一対のばね部５６が設けられている。同様に、ハウジング５２の両側壁５２ｂには、ばね部５７が設けられている。
【００３７】
ばね部５６,５７の構造は、同様であってよいので、ばね部５６の構造を代表して説明する。上壁５２ａには、切れ込み５８ａが形成されている。切れ込み５８ａは、上壁５２ａを貫通している。この切れ込み５８ａによって囲まれる範囲は、ばね部５６となる。ばね部５６は、上壁５２ａと一体に形成されている。一対のばね部５６は、上壁５２ａの大部分を占めている。
【００３８】
ばね部５７は、ばね部５６と同様に、側壁５２ｂに形成される切れ込み５８ｂに囲まれる範囲に規定される。切れ込み５８ｂは、側壁５２ｂを貫通している。
【００３９】
相手側ＵＳＢコネクタ１００が挿入開口部５５ａ内に差し込まれると、相手側ＵＳＢコネクタ１００は、板ばね部５６,５７によって保持される。
【００４０】
図５に示すように、ハウジング５２の両側壁５２ｂにおいて他方の開口部５５ｂ側には、突部５９が形成されている。突部５９は、配線板４１に向かって延びている。配線板４１には、上記のように形成されたＵＳＢコネクタ５１の各突部５９が嵌合する嵌合孔４２が形成されている。嵌合孔４２は、配線板４１を貫通している。突部５９は、嵌合孔４２に嵌合するとともに、配線板４１を貫通する。
【００４１】
各コンタクト５３は、ハウジング５２内に収容されている。各コンタクト５３は、挿入開口部５５ａから他方の開口部５５ｂへ向かう方向に沿って配置されている。コンタクト５３は、接点部５３ａと、リード部５３ｂと、を有している。
【００４２】
接点部５３ａは、コンタクト５３において相手側ＵＳＢコネクタ１００と電気的に接続される部位である。図３に示すように、接点部５３ａは、コンタクト５３において挿入開口部５５ａ側に位置している。
【００４３】
図５に示すように、コンタクト５３において接点部５３ａの反対側は、開口部５５ｂから出ている。コンタクト５３において開口部５５ｂから出た部分は、折れ曲がってハウジング５２から配線板４１に向かう方向Ｂに延びている。ハウジング５２から配線板４１に向かう方向Ｂは、配線板４１に対して略垂直な方向である。それゆえ、方向Ｂと方向Ｃとは、互いに交差している。
【００４４】
リード部５３ｂは、コンタクト５３において配線板４１に電気的に接続される部位である。リード部５３ｂは、コンタクト５３において開口部５５ｂから出た部分に形成されている。
【００４５】
なお、ＵＳＢコネクタ５１は、ＤＩＰ（Ｄｕａｌ  Ｉｎ−ｌｉｎｅ  Ｐａｃｋａｇｅ）式のコネクタである。それゆえ、リード部５３ｂは、ハウジング５２よりも配線板４１に向かって延びている。配線板４１には、各リード部５３ｂが嵌合するとともにリード部５３ｂと電気的に接続される接続部４３が形成されている。接続部４３には、例えば半田が塗布されている。
【００４６】
樹脂部５４は、ハウジング５２内に収容されている。樹脂部５４は、各コンタクト５３を支持している。
【００４７】
上記のように形成されるＤＩＰ式のＵＳＢコネクタ５１を、図示しない自動挿入機によって配線板４１上に搬送するために、ＵＳＢコネクタ装置５０は、キャップ６０を備えている。
【００４８】
図６は、本発明のＵＳＢコネクタ装置５０を示している。図６は、キャップ６０がＵＳＢコネクタ５１に取り付けられた状態を示している。図７は、キャップ６０とＵＳＢコネクタ５１とが分解された状態を示している。図８は、配線板４１にＵＳＢコネクタ装置５０が取り付けられた状態の側面図である。図９は、配線板４１にＵＳＢコネクタ装置５０が取り付けられた状態を、リード部５３ｂ側から見た正面図である。
【００４９】
図７に示すように、キャップ６０は、ＵＳＢコネクタ５１に着脱可能である。キャップ６０は、本体部６１と、挿入部６２と、突起６３と、を有している。キャップ６０は、樹脂製である。本実施形態のキャップ６０は、例えばＰｏｌｙｏｘｙｍｅｔｈｌｅｎｅ（ポリオキシメチレン）で形成されている。
【００５０】
本体部６１は、キャップ６０がＵＳＢコネクタ５１に取り付けられた状態において、ハウジング５２の上壁５２ａを覆う。それゆえ、本体部６１は、キャップ６０がＵＳＢコネクタ５１に取り付けられた状態において、ハウジング５２に対してＵＳＢコネクタ５１を挟んで反対側に位置している。
【００５１】
本体部６１は、上壁５２ａの略全域を覆う大きさを有している。つまり、本体部６１は、一対のばね部５６を覆っている。キャップ６０の本体部６１は、後述される自動挿入機の吸引ノズル２０１が吸着することができるだけの大きさを有しており、吸引ノズル２０１が吸引する吸着エリアＡを有している。
【００５２】
図６と図８とに示すように、挿入部６２は、本体部６１において挿入開口部５５ａ側の端部に形成されている。挿入部６２は、キャップ６０がＵＳＢコネクタ５１に取り付けられた状態において、挿入開口部５５ａに収容されるように、挿入開口部５５ａ側の端部から折れ曲がってハウジング５２内に向かって延びている。
【００５３】
挿入部６２が挿入開口部５５ａ内に差し込まれると、挿入部６２は、樹脂部５４とばね部５６との間に挟まれるとともに、ばね部５６の弾性によって強固に支持される。
【００５４】
突起６３は、本体部６１のおいて開口部５５ｂ側の端部３００に形成されている。突起６３は、ハウジング５２に向かって延びている。突起６３は、キャップ６０がＵＳＢコネクタ５１に取り付けられた状態において、本体部６１がハウジング５２の上壁５２ａに接触することがないように、キャップ６０の本体部６１とハウジング５２の上壁５２ａと間に隙間Ｓを形成している。これによって、キャップ６０がばね部５６に干渉することがなくなる。
【００５５】
また、突起６３は、本体部６１の上面６１ａを配線板４１と略平行とするように、ハウジング５２の上面５２ｃに対する本体部６１の傾斜を調整している。それゆえ、配線板４１とキャップ６０の本体部６１の上面６１ａとは、略平行である。
【００５６】
つぎに、ＵＳＢコネクタ装置５０を配線板４１上へ搬送する搬送方法を説明する。図１０は、ＵＳＢコネクタ装置５０が自動挿入機によって配線板４１上へ搬送される様子を示している。自動挿入機は、吸引ノズル２０１を備えている。吸引ノズルは、本発明で言う搬送部の一例である。
【００５７】
図１０に示すように、まず、キャップ６０は、ＵＳＢコネクタ５１に取り付けられる。ついで、吸引ノズル２０１は、キャップ６０の上面６１ａの吸着エリアＡを吸着する。吸引ノズル２０１がキャップ６０の上面６１ａに吸着されると、自動挿入機は、配線板４１上においてＵＳＢコネクタ５１が配置されるべき場所に、ＵＳＢコネクタ装置５０を搬送する。
【００５８】
なお、本実施形態では、図に示すように、ＵＳＢコネクタ装置５０は、配線板４１に略垂直な方向に沿って、配線板４１に搬送される。しかし、これに限定されない。配線板４１へのＵＳＢコネクタ装置５０の搬送経路は、限定されない。
【００５９】
ＵＳＢコネクタ装置５０が自動挿入機によって配線板４１上取り付けられた後、配線板４１は、図示しないリフロー槽内に進む。リフロー槽内で接続部４３に設けられた半田が溶融することによって、リード部５３ｂと接続部４３とが電気的に接続される。ＵＳＢコネクタ５１が配線板４１に接続されると、キャップ６０は、取り外される。取り外されたキャップ６０は、再び別のＵＳＢコネクタ５１に用いられる。
【００６０】
このように形成されるポータブルコンピュータ１０では、ＵＳＢコネクタ装置５０は、キャップ６０を備えている。そして、キャップ６０は、挿入開口部５５ａに差し込まれて保持される挿入部６２と、吸引ノズル２０１が吸着可能な本体部６１を有している。
【００６１】
それゆえ、ＵＳＢコネクタ５１は、キャップ６０が取り付けられることによって、吸引ノズル２０１が吸着可能なエリアを有するようになるので、自動挿入機によって配線板４１上へ搬送される。
【００６２】
つまり、ＵＳＢコネクタ５１などＩ／Ｏコネクタのように配線板４１に略平行な方向Ｃに開口する挿入開口部５５ａを有するコネクタであっても、自動挿入機によって配線板４１上へ搬送されるようになる。
【００６３】
さらに、ＵＳＢコネクタ装置５０のようにハウジング５２の上壁５２ａにばね部５６が形成されることによって吸引ノズル２０１が上壁５２ａに吸着できない場合であっても、キャップ６０によって、吸引ノズル２０１が吸着する吸着エリアＡが確保される。それゆえ、ばね部５６を有することによって吸着エリアＡが確保されないコネクタであっても、自動挿入機によって配線板４１上へ搬送されるようになる。
【００６４】
また、挿入部６２が挿入開口部５５ａへ差し込まれるので、ＵＳＢコネクタ装置５０が配線板４１に取り付けられた後にキャップ６０がＵＳＢコネクタ５１から取り忘れられることが抑制される。
【００６５】
この点について具体的に説明する。回路モジュール４０では、配線板４１上にＵＳＢコネクタ５１などの部品が接続された後、これら部品の導通試験が行われる。このとき、キャップ６０がＵＳＢコネクタ５１に取り付けられたままであると、挿入開口部５５ａは、キャップ６０によって塞がれている。
【００６６】
それゆえ、導通試験する際に、挿入開口部５５ａに試験用のコネクタを差し込むことができなくなる。つまり、キャップ６０がＵＳＢコネクタ５１に取り付けられた状態であると、導通試験ができなくなる。
【００６７】
この結果、万が一、キャップ６０の取り忘れがあっても、この取り忘れは、導通試験の際に発見される。それゆえ、ポータブルコンピュータ１０が完成した際に、ＵＳＢコネクタ５１からキャップ６０が取り忘れることが抑制される。
【００６８】
また、キャップ６０は、突起６３を有している。それゆえ、本体部６１がばね部５６と干渉することが抑制される。この結果、挿入部６２は、ばね部５６によって強固に支持されるようになる。したがって、ＵＳＢコネクタ装置５０の搬送中に、キャップ６０からＵＳＢコネクタ５１が外れることが抑制される。
【００６９】
さらに、突起６３によって、吸引ノズル２０１を配線板４１に対して略垂直な姿勢にするだけで、ＵＳＢコネクタ５１は、上面５２ｃが配線板４１に略平行な姿勢で、配線板４１に取り付けられるようになる。
【００７０】
それゆえ、ＵＳＢコネクタ５１を配線板４１に置く際に、ＵＳＢコネクタ装置５０の姿勢を調整することなく、突部５９とリード部５３ｂとは、対応する嵌合孔４２と接続部４３とに嵌まるようになる。
【００７１】
つまり、ＵＳＢコネクタ装置５０の姿勢を調整する作業が必要なくなるので、ＵＳＢコネクタ装置５０を配線板４１上へ置く作業の効率が向上する。
【００７２】
つぎに、本発明の第２の実施形態に係るポータブルコンピュータ１０を、図１１から図１４を参照して説明する。なお、第１の実施形態と同様な機能を有する構成は、同一の符号を付して説明を省略する。
【００７３】
本実施形態では、回路モジュール４０は、配線板４１の表面に略平行な方向Ｃに開口する挿入開口部５５ａを有するコネクタ一例として、ＩＥＥＥ１３９４コネクタ装置７０を備えている。ＩＥＥＥ１３９４コネクタ装置７０は、ＩＥＥＥ１３９４コネクタ７１と、キャップ６０と、を備えている。ＩＥＥＥ１３９４コネクタ７１の形状は、ＵＳＢコネクタ５１と異なる。それゆえ、本実施形態のキャップ６０は、第１の実施形態と異なる。この点について、具体的に説明する。
【００７４】
図１１は、配線板４１に取り付けられたＩＥＥＥ１３９４コネクタ７１を示している。図１２は、ＩＥＥＥ１３９４コネクタ７１にキャップ６０が取り付けられた状態を示している。図１３は、キャップ６０とＩＥＥＥ１３９４コネクタ７１とが分解された状態を示している。
【００７５】
図１３に示すように、ＩＥＥＥ１３９４コネクタ７１は、ハウジング７２を備えている。ハウジング７２の上面７２ａは、比較的狭い。それゆえ、キャップ６０の本体部６１の上面６１ａは、自動挿入機の吸引ノズル２０１が吸引するだけに十分な面積を有している。本実施形態のキャップ６０は、例えばＰｏｌｙｂｕｔｙｌｅｎｅｔｅｒｅｐｈｔｈａｌａｔｅ（ポリブチレンテレフタレート）で形成されている。
【００７６】
図１４は、キャップ６０の内側を示している。キャップ６０の内側は、ＩＥＥＥ１３９４コネクタ７１と向かい合う。図１４に示すように、本実施形態の突起６３は、本体部６１の内面に形成されている。突起６３は、一対形成されている。各突起６３は、挿入部６２側から挿入部６２の反対側に向かって延びている。
【００７７】
本実施形態では、第１の実施形態と同様な効果を得ることができる。さらに、キャップ６０は、吸着エリアＡを有している。それゆえ、本実施形態で説明されたＩＥＥＥ１３９４コネクタ装置７０のように、ハウジング７２の上面７２ａが吸引ノズル２０１よりも小さいコネクタであっても、吸引ノズル２０１によって吸着されるので、配線板４１上へ自動挿入機によって搬送されるようになる。
【図面の簡単な説明】
【００７８】
【図１】本発明の第１の実施形態にポータブルコンピュータの斜視図。
【図２】図１に示された表示ユニットがコンピュータ本体と略平行になるまで開いた状態において、筐体の一部を切り欠かいた状態を上方から見た平面図。
【図３】図２に示されるＦ３で囲まれる範囲を拡大して示す斜視図。
【図４】図１に示されたポータブルコンピュータを後方から見る斜視図。
【図５】図３に示されたＵＳＢコネクタと配線板とが分解された状態を示す斜視図。
【図６】本発明の第１の実施形態に係るＵＳＢコネクタ装置を示す斜視図。
【図７】図６に示されたキャップとＵＳＢコネクタとが分解された状態を示す斜視図。
【図８】配線板にＵＳＢコネクタ装置が取り付けられた状態の側面図。
【図９】配線板にＵＳＢコネクタ装置が取り付けられた状態を、リード部側から見た正面図。
【図１０】図６に示されたＵＳＢコネクタ装置が自動挿入機によって配線板上へ搬送される様子を示す斜視図。
【図１１】本発明の第２の実施形態に係るポータブルコンピュータにおいて、配線板に取り付けられたＩＥＥＥ１３９４コネクタを示す斜視図。
【図１２】本発明の第２の実施形態のＩＥＥＥ１３９４コネクタ装置を示す斜視図。
【図１３】図１２に示されたキャップとＩＥＥＥ１３９４コネクタとが分解された状態を示す斜視図。
【図１４】図１３に示されたキャップの内側を示す斜視図。
【符号の説明】
【００７９】
１０…ポータブルコンピュータ（電子機器）、２１…筐体、４０…回路モジュール、４１…配線板、５０…ＵＳＢコネクタ装置（コネクタ装置）、５１…ＵＳＢコネクタ（コネクタ）、５５ａ…挿入開口部、６０…キャップ、６１…本体部、６２…挿入部、６３…突起、７０…ＩＥＥＥ１３９４コネクタ装置（コネクタ装置）、７１…ＩＥＥＥ１３９４コネクタ（コネクタ）、１００…ＵＳＢコネクタ（相手側コネクタ）、２０１…吸引ノズル（搬送部）、Ａ…吸着エリア、Ｂ…方向（コネクタから接続相手部材へ向かう方向）、Ｃ…方向（挿入開口部が開口する方向）。
【図１】
2007026900.tif 000003
【図２】
2007026900.tif 000004
【図３】
2007026900.tif 000005
【図４】
2007026900.tif 000006
【図５】
2007026900.tif 000007
【図６】
2007026900.tif 000008
【図７】
2007026900.tif 000009
【図８】
2007026900.tif 000010
【図９】
2007026900.tif 000011
【図１０】
2007026900.tif 000012
【図１１】
2007026900.tif 000013
【図１２】
2007026900.tif 000014
【図１３】
2007026900.tif 000015
【図１４】
2007026900.tif 000016